(57)【特許請求の範囲】
【請求項１】
円筒状のノズル外筒と該ノズル外筒内部空間にノズル嘴を備えたノズル本体と、前記ノズル嘴に一体に形成されたノズル螺管を螺合したピストル型噴射装置とからなる流体増速安定装置において、
前記ノズル本体は、先端に開口を有するノズル孔と、該ノズル孔の後端に傾斜面のデフューザを介して前記ノズル孔より大径中空のノズル室とに２分されてなり、前記ノズル室内部には、先端外形が前記デフューザと同形状となるよう傾斜面にし、先端内にオリフィスを有する前記ノズル嘴が配置され、前記ノズル嘴に一体に形成されたノズル螺管が前記ノズル外筒の後端を塞ぐ蓋体の中央孔に貫通され、前記ノズル螺管には、外周面に雄ネジが形成されると共に中央を貫通する貫通孔が形成され、該貫通孔の一方が前記ノズル嘴の前記オリフィスに連通し、前記貫通孔の他方が前記蓋体から突出されて前記ピストル型噴射装置の噴射口に連通され、かつ前記ノズル嘴がノズル室空間内の同一軸線上を前記ノズル孔に向かって移動可能に形成され、前記蓋体は、前記ノズル外筒のノズル室に螺合されて前記ノズル外筒の後端が閉鎖されると共に、前記蓋体の中央孔に前記ノズル螺管が螺合する雌ネジが形成され、前記蓋体に前記ノズル螺管を固定するために前記蓋体外側から前記ノズル螺管を螺合固定するストッパーを設け、さらに前記蓋体の周面に適宜数の吸気口が形成されて前記ノズル室と外気とが連通されることを特徴とする流体増速安定装置。
【発明の詳細な説明】
【０００１】
【発明の属する技術分野】
本発明は、流体を数倍に増速させて噴射すると共に、流体の噴射速度を安定させることができる流体増速安定装置に関する。
【０００２】
【従来の技術】
従来、流体増速装置は、例えば水中の洗浄作業において、高能率、高効率を上げるための水中ノズルが公知となっている。
上記公知技術として、実開昭５７−７６７７８号公報があり、図７に示すように、水中において高圧液体を噴出すべきノズル６’を包囲しかつこのノズル６’からの液体の噴出方向に開口するデフューザ１０’内に大気に連通する空気管１２’を接続し、もって前記ノズル６’からの液体の噴射による負圧発生によって前記空気管１２’を介してデフューザ１０’内に空気を吸い込み、その気泡と共に液体を水中に噴出させるようにした水中ノズルを構成するものである。
しかし、上記水中ノズルは、前記ノズル６’と前記デフューザ１０’との位置関係が固定であり、前記ノズル６’を軸方向前後に移動できないと共に、前記ノズル６’の交換が不可能であった。
そのため、噴出流体の速度調整ができないと共に、各種の用途に合わせたノズルの交換が自由にできなかった。
【０００３】
【発明が解決しようとする課題】
そこで、本発明は、ノズルを軸方向前後に移動して噴出流体の速度調整ができると共に、各種の用途に合わせたノズルの交換が可能である流体増速安定装置を提供することを目的とする。
【０００４】
【課題を解決するための手段】
本発明の流体増速安定装置は、円筒状のノズル外筒と該ノズル外筒内部空間にノズル嘴を備えたノズル本体と、前記ノズル嘴に一体に形成されたノズル螺管を螺合したピストル型噴射装置とからなる流体増速安定装置において、
前記ノズル本体は、先端に開口を有するノズル孔と、該ノズル孔の後端に傾斜面のデフューザを介して前記ノズル孔より大径中空のノズル室とに２分されてなり、前記ノズル室内部には、先端外形が前記デフューザと同形状となるよう傾斜面にし、先端内にオリフィスを有する前記ノズル嘴が配置され、前記ノズル嘴に一体に形成されたノズル螺管が前記ノズル外筒の後端を塞ぐ蓋体の中央孔に貫通され、前記ノズル螺管には、外周面に雄ネジが形成されると共に中央を貫通する貫通孔が形成され、該貫通孔の一方が前記ノズル嘴の前記オリフィスに連通し、前記貫通孔の他方が前記蓋体から突出されて前記ピストル型噴射装置の噴射口に連通され、かつ前記ノズル嘴がノズル室空間内の同一軸線上を前記ノズル孔に向かって移動可能に形成され、前記蓋体は、前記ノズル外筒のノズル室に螺合されて前記ノズル外筒の後端が閉鎖されると共に、前記蓋体の中央孔に前記ノズル螺管が螺合する雌ネジが形成され、前記蓋体に前記ノズル螺管を固定するために前記蓋体外側から前記ノズル螺管を螺合固定するストッパーを設け、さらに前記蓋体の周面に適宜数の吸気口が形成されて前記ノズル室と外気とが連通されるものである。
【０００５】
【実施例】
以下、本発明の一実施例を図面に基づいて説明する。
本発明の流体増速安定装置は、図１に示すように、ノズル外筒１内部にノズル嘴２を備えたノズル本体３と、前記ノズル嘴２に一体に形成されたノズル螺管４を螺合接続するピストル型噴射装置５とからなる。
なお、前記ノズル嘴２に一体に形成されたノズル螺管４とは、一体成型により形成する場合も、別々に成型された後、接合する場合も含む。
図２に示すように、前記ノズル外筒１は金属製または強化プラスチック製の中空筒体からなり、先端に開口するノズル孔６と、円錐形の傾斜面、すなわちデフューザ７を介して該ノズル孔６より大径のノズル室８とに２分されている。
前記ノズル室８内部には、先端外形が前記デフューザ７と同形状となるよう傾斜面にし、先端内にオリフィス（出口）９を有する前記ノズル嘴２が配置され、かつ前記ノズル孔６に向かってノズル室８空間内の同一軸線上を前記ノズル嘴２が移動可能に配置される。
すなわち、前記ノズル嘴２に一体に形成された前記ノズル螺管４が前記ノズル外筒１の後端を塞ぐ蓋体１０の中央孔１１に貫通螺合され、前記ノズル螺管４の回転により前記ノズル嘴２を前記デフューザ７に近づけたり、遠ざけたりすることができる。
前記ノズル螺管４には、外周面に雄ネジが形成されると共に、中央を貫通する貫通孔１２が形成され、該貫通孔１２の一方が前記ノズル嘴２の前記オリフィス９に連通しており、図１に示すように前記貫通孔１２の他方が前記ピストル型噴射装置５の噴射口１３に連通される。
前記蓋体１０は、前記ノズル外筒１のノズル室８外側に螺合されて前記ノズル外筒１の端部が閉鎖されると共に、前記蓋体１０の中央孔１１に前記ノズル螺管４が螺合する雌ネジが形成され、前記蓋体１０にノズル螺管４を固定するためにストッパー１４を螺合し、前記蓋体１０と前記ストッパー１４との間にゴムパッキンのようなシール部材を挟んで、前記蓋体１０外側からノズル螺管４を螺合固定する。
さらに、前記蓋体１０の周側面に適宜数の吸気口１５が形成されて、前記ノズル室８と外気とが連通される。
【０００６】
前記ピストル型噴射装置５は、図１に示すように、前記ノズル本体３のノズル螺管４を螺合する雌ネジが形成された噴射口１３と、前記ピストル型噴射装置５を握って持ち運ぶための握り部１６と、該握り部１６内部に内蔵された弁体（図示せず）を開閉する作動レバー１７と、前記握り部１６下部に流体供給源（図示せず）に連結する接続口１８とを備えており、前記接続口１８に接続した配管から圧力流体を供給し、作動レバー１７の作動により前記握り部１６内部の弁体（図示せず）を開放して噴射口１３に圧力流体を供給する。
【０００７】
本発明のノズル本体３の他の実施例として、図３に示すように、ノズル外筒１をＴ字状に形成し、下方に延びる筒体内に前記ノズル室８に連通する流入孔１９が形成され、該流入孔１９の下端に設けた雌ネジに螺合する栓体２０により下端を閉塞される。
その他の構成は、図２に示す前記ノズル本体３と同様に形成される。
そして、図４に示すように、前記ノズル本体３のノズル螺管４を前記ピストル型噴射装置５の噴射口１３に螺合接続して使用することができる。
【０００８】
以下に、本発明の流体増速安定装置の操作方法を図面に基づいて説明する。
図２又は図３に示すノズル本体３において、ノズル外筒１を閉塞している蓋体１０の中央孔１１に螺合しているノズル螺管４を右回転又は左回転させる。
右回転又は左回転により、デフューザ７とノズル嘴２と距離間隔が調節され、この距離間隔の調節により、圧力流体の増速効果が変化する。
また、用途に応じてノズル嘴２（ノズル螺管４を含む）を交換可能とし、それに応じて蓋体１０も交換可能とする。
間隔調節が終わったら、ストッパー１４で前記ノズル螺管４を固定し、さらに前記ノズル螺管４をピストル型噴射装置５の噴射口１３に螺合し、図５に示すように図１又は図４のノズル本体３の準備が完了する。
なお、図５においては、図１のノズル本体３を実線で、図４のノズル本体３を１点鎖線で表わし、ノズル嘴２が最もデフューザ７に接近した状態を示している。
ピストル型噴射装置５の作動レバー１７を引くと、該作動レバー１７と連動している弁体（図示せず）が開放され、流体供給源（図示せず）に連結する接続口１８、弁体（図示せず）を介して噴射口１３から圧力流体が噴出される。
【０００９】
圧力流体は、前記噴射口１３からノズル螺管４の貫通孔１２を通り、ノズル嘴２のオリフィス（出口）９からノズル孔６に向かって噴射される。
この噴射により、前記ノズル嘴２及びノズル螺管４を包囲するノズル室８の空気が誘引され、前記ノズル室８の空気はノズル孔６内を圧力流体を囲むようにして圧力流体と一緒に外気に噴射されると共に、前記ノズル室８には負圧が発生するので、蓋体１０の吸気口１５から外気が導入される。
なお、デフューザ７とノズル嘴２との距離間隔の調節を手動で行うようにしたが、これを自動的に前後移動できるように構成し、圧力流体の増速効果を自動的に変化させることも可能である。
このように構成することにより、圧力流体源での圧力変化があってもノズル嘴２を前後移動させることで前記デフューザ７とノズル嘴２との距離間隔が調節され、一定圧力で流体を噴射させることができる。
これらの用途として、清掃用や医療用などのエアーノズルに利用できる。
【００１０】
さらに、本発明の流体増速安定装置は、図４の他の実施例の蓋体１０の交換により図６に示す従来の流体噴射装置としても利用可能である。
図６に示すように、図４に示す流入孔１９の栓体２０に替えて流体接続口２１を接続すると共に、ノズル外筒１に吸気口１５を備えていない蓋体１０を閉塞する。
そして、前記と同様にノズル嘴２から圧力流体を噴射すると、ノズル室８に負圧が発生し、ノズル室８に連通している流入孔１９の流体接続口２１からは流体が吸引されてノズル孔６内で圧力流体と混合されて一緒に外気に噴射される。
これらの用途として、消火用ノズルや各種流体混合機に利用できる。
【００１１】
【効果】
以上述べた如く、本発明の流体増速安定装置によれば、従来技術ではノズル嘴の交換ができないものであったが、それぞれの用途に合わせてノズル嘴の交換が自由であり、省エネルギータイプから期待する効果を得る大きさの口径が自由に設定でき、噴射流体を得る増速効果についても期待する効果の設定が自由にできる。
ピストル型噴射装置を手に持つ場合、従来あるピストル型の下の部分から圧力流体を取り入れることができ、その場合、各種流体をそれぞれ取り入れることもできる。
本発明の流体増速安定装置のノズル本体を従来製品の先端ノズル取り替え口に取り付けることができ、その場合、流体増速効果は変わらない。
【図面の簡単な説明】
【図１】本発明の流体増速安定装置の一部断面正面図である。
【図２】本発明のノズル本体の縦断面図である。
【図３】本発明のノズル本体の他の実施例の縦断面図である。
【図４】本発明の流体増速安定装置の他の実施例の一部断面正面図である。
【図５】本発明の流体増速安定装置の使用状態の一部断面正面図である。
【図６】本発明の流体増速安定装置を従来の流体噴射装置として利用する場合の一部断面正面図である。
【図７】従来の水中ノズルの一部断面側面図である。
【図１】
0003638580.tif 000002
【図２】
0003638580.tif 000003
【図３】
0003638580.tif 000004
【図４】
0003638580.tif 000005
【図５】
0003638580.tif 000006
【図６】
0003638580.tif 000007
【図７】
0003638580.tif 000008